(57)【要約】      （修正有）【課題】ホログラム画像を表示する磁気カードでありながら、誤動作や機器の損傷を生じることがなく、また、ホログラム画像の装飾効果を損なうことなくエンボスが可能な磁気カードを提供すること。【解決手段】ホログラム画像表示層１を有し、このホログラム画像表示層の上に部分的に磁気記録層３２を有すると共に、この磁気記録層上に部分的に設けられ、この磁気記録層を隠蔽して、かつ、前記ホログラム画像表示層の少なくとも一部を透視可能とする隠蔽層３３を有する磁気カード１００であって、前記ホログラム画像表示層が、ホログラム画像を構成する凹凸を表面に有するホログラム画像形成層１１と、このホログラム画像形成層の凹凸表面に沿って配置された金属反射膜１２とを備えて構成されると共に、この金属反射膜が、電気的に互いに絶縁された多数の領域で構成されている。【選択図】図１
2019072982.tif 000002
【特許請求の範囲】
【請求項１】
ホログラム画像表示層を有し、このホログラム画像表示層の上に部分的に磁気記録層を有すると共に、この磁気記録層上に部分的に設けられ、この磁気記録層を隠蔽して、かつ、前記ホログラム画像表示層の少なくとも一部を透視可能とする隠蔽層を有する磁気カードであって、
前記ホログラム画像表示層が、ホログラム画像を構成する凹凸を表面に有するホログラム画像形成層と、このホログラム画像形成層の凹凸表面に沿って配置された金属反射膜とを備えて構成されると共に、この金属反射膜が、電気的に互いに絶縁された多数の領域で構成されていることを特徴とする磁気カード。
【請求項２】
請求項１に記載の磁気カードであって、エンボス領域を有しており、このエンボス領域が前記隠蔽層を有する領域に位置していることを特徴とする磁気カード。
【請求項３】
請求項１又は２に記載の磁気カードであって、ＩＣチップを内蔵していることを特徴とする磁気カード。
【発明の詳細な説明】
【技術分野】
【０００１】
本発明はホログラム画像を表示した磁気カードに関する。
【背景技術】
【０００２】
ホログラム画像を表示した磁気カードは公知である（特許文献１参照）。このホログラム画像付き磁気カードは、その層構成中に、磁気テープ等の磁気記録層と共に、ホログラム画像を表示するホログラム画像表示層を有している。
【０００３】
このホログラム画像表示層は、ホログラム画像を構成する凹凸を表面に有する樹脂層（ホログラム画像形成層）と、この凹凸面に沿って配置された金属反射膜とで構成されていることが通常である。金属反射膜はホログラム画像形成層の凹凸面に沿って配置されているため、この金属反射膜の表面にも前記凹凸が反映されている。このため、この金属反射膜の表面で反射された反射光は回折して、この反射回折光がホログラム画像を表示するのである。こうして表示されたホログラム画像は反射回折光の光学的な干渉によって設けられたものであるため、印刷インキ等による印刷画像とは、さまざまな面で異なっている。例えば、このホログラム画像は、観察する角度に応じてその色彩が変化する。例えば虹色に変化するのである。また、このホログラム画像は、両眼視差を原理として三次元の立体画像を構成することもある。そして、このように観察角度に応じて色彩が変化し、また、立体画像とすることができるため、例えば、螺鈿細工のような美麗な画像を表示することができる。
【０００４】
しかしながら、前述のように、ホログラム画像表示層はその層構成中に金属反射膜を含んでおり、このため、磁気カードの取り扱い中に、この金属反射膜に静電荷が蓄積されることがある。そして、このように静電荷が蓄積された磁気カードを磁気の書込・読取機にかけると、その静電荷のために誤動作を生じて読み取りエラーが発生したり、書込・読取機の磁気ヘッドやＩＣが損傷する等のトラブルが発生したりする。
【０００５】
また、この磁気カードがＩＣチップを内蔵する場合には、このＩＣチップやそのリーダーライターと前記金属反射膜とが導通したり、あるいは容量結合して、誤動作や機器の損傷を引き起こす原因となる。
【０００６】
また、磁気カードには、さまざまな理由からエンボス文字を施すことがある。例えば、視覚障害者の便宜のためである。しかしながら、前記金属反射膜にエンボスを施すと、この金属反射膜にクラックを発生して白化し、ホログラム画像が失われて、その装飾効果が損なわれる。
【先行技術文献】
【特許文献】
【０００７】
【特許文献１】特許第４５１７５７１号公報
【発明の概要】
【発明が解決しようとする課題】
【０００８】
本発明は以上のような技術的理由に基づいてなされたもので、ホログラム画像を表示する磁気カードでありながら、誤動作や機器の損傷を生じることがなく、また、ホログラム画像の装飾効果を損なうことなくエンボスが可能な磁気カードを提供することを目的とする。
【課題を解決するための手段】
【０００９】
すなわち、請求項１に記載の発明は、ホログラム画像表示層を有し、このホログラム画像表示層の上に部分的に磁気記録層を有すると共に、この磁気記録層上に部分的に設けられ、この磁気記録層を隠蔽して、かつ、前記ホログラム画像表示層の少なくとも一部を透視可能とする隠蔽層を有する磁気カードであって、
前記ホログラム画像表示層が、ホログラム画像を構成する凹凸を表面に有するホログラム画像形成層と、このホログラム画像形成層の凹凸表面に沿って配置された金属反射膜とを備えて構成されると共に、この金属反射膜が、電気的に互いに絶縁された多数の領域で構成されていることを特徴とする磁気カードである。
【００１０】
次に、請求項２に記載の発明は、請求項１に記載の磁気カードであって、エンボス領域を有しており、このエンボス領域が前記隠蔽層を有する領域に位置していることを特徴とする磁気カードである。
【００１１】
次に、請求項３に記載の発明は、請求項１又は２に記載の磁気カードであって、ＩＣチップを内蔵していることを特徴とする磁気カードである。
【発明の効果】
【００１２】
本発明においては、ホログラム画像表示層を構成する金属反射膜が、電気的に互いに絶縁された多数の領域で構成されているから、この金属反射膜に蓄積する静電荷を抑制することができる。このため、磁気の書込・読取機にかけた場合にも、この静電荷に起因する誤動作や機器の損傷を生じない。
【００１３】
また、この磁気カードがＩＣチップを内蔵する場合においても、金属反射膜が、電気的に互いに絶縁された多数の領域で構成されているから、このＩＣチップやそのリーダーライターと前記金属反射膜とが導通することがなく、また容量結合も極めて低い水準の抑えることができるから、誤動作や機器の損傷を生じない。
【００１４】
また、この磁気カードには、隠蔽層が設けられており、この隠蔽層を有する領域では前記ホログラム画像が透視できないから、この領域にエンボスすることにより、ホログラム画像の装飾効果を損なうことなくエンボスすることが可能である。
【図面の簡単な説明】
【００１５】
【図１】図１は本発明の磁気カードの具体例に係る分解断面図である。
【図２】図２（ａ）及び（ｂ）は、それぞれ、本発明の磁気カードの金属反射層のパターン形状を示す説明図である。
【図３】図３はＩＣチップを内蔵した中間シートの分解断面図である。
【発明を実施するための形態】
【００１６】
以下、図面を参照して本発明の具体例を説明する。図１は本発明の磁気カードの具体例に係る分解断面図である。
【００１７】
この磁気カード１００は、その層構成中にホログラム画像表示層１を有している。このホログラム画像表示層１は、ホログラム画像形成層１１に金属反射膜１２を積層して構成されたものである。
【００１８】
ホログラム画像形成層１１は樹脂を材質として、その表面に凹凸を形成したものである。この凹凸はホログラム画像を構成するもので、例えば、ピッチ１０〜１０００ｎｍの微細な凹凸で構成されている。そして、金属反射膜１２はこの凹凸表面に積層されたもので、しかも、その凹凸に沿って積層されている。このため、金属反射膜１２には、ホログラム画像形成層１の前記凹凸を反映して、その両面に同様の凹凸が形成されている。そして、このため、この金属反射膜１２に可視光が入射した場合には、可視光は金属反射膜１２の凹凸表面で反射され、その反射光は回折光を構成する。そして、この反射回折光同士が互いに干渉して、ホログラム画像を表示するのである。このホログラム画像は、前述のとおり、観察する角度に応じて色彩が変化するレインボー調の画像であり、また、三次元の立体画像とすることも可能である。
【００１９】
このホログラム画像表示層１の製造方法は周知であるが、任意の樹脂を前記ホログラム画像形成層１１として、スタンパにより押圧して、前記凹凸を形成した後、その凹凸表面に金属反射膜１２を積層すればよい。金属反射膜１２は、例えば、アルミニウム、銀、すず、クロム、ニッケル、銅、金等の金属を真空蒸着することによって形成することができる。また、スパッタリングで形成してもよい。
【００２０】
ところで、この金属反射膜１２は、電気的に互いに絶縁された多数の領域で構成されている必要がある。例えば、その平均厚みが１〜１００ｎｍとなるように真空蒸着することにより、図２（ａ）に示すように、海島構造とすることができる。この図から分かるように、この海島構造においては、前記領域１２ａが島を構成しており、このため、この金属反射膜１２の存在しない部位を海として、各領域１２ａはこの海に隔てられ、このため、各領域１２ａは互いに電気的に絶縁されている。
【００２１】
また、金属反射膜１２をホログラム画像形成層１１の上に均一に積層した後、これをパターニングして、電気的に互いに絶縁された多数の領域１２ａとすることもできる。パターニングは、例えば、エッチングで可能である。図２（ｂ）はこうして形成された金属反射膜１２の例を示すもので、この例では、金属反射膜１２は、多数の円形領域１２ａで構成されており、これら円形領域１２ａ同士は、金属反射膜１２の存在しない部位で互いに隔てられて、このため、各領域１２ａは互いに電気的に絶縁されている。なお、この領域１２ａは円形に限らず、任意の形状でよいことはもちろんである。
【００２２】
このほか、ホログラム画像形成層１１の上にパターン状に水溶性樹脂層を形成し、この水溶性樹脂層上に金属反射膜１２を積層した後、水溶性樹脂層を溶解除去すると共に、このパターン状水溶性樹脂層に重畳した部位の金属反射膜１２を除去することにより、前記パターンの金属反射膜１２を形成することもできる。
【００２３】
いずれの場合でも、金属反射膜１２は、電気的に互いに絶縁された多数の領域で構成されている必要がある。そして、このように金属反射膜１２を多数の領域で構成したため、磁気カード１００の取り扱い中に金属反射膜１２に蓄積する静電荷を抑制することができる。このため、磁気の書込・読取機にかけた場合にも、この静電荷に起因する誤動作や機器の損傷を生じない。
【００２４】
また、この磁気カード１００がＩＣチップを内蔵する場合であっても、同じ理由から、ＩＣチップやそのリーダーライターと金属反射膜１２とが導通することがなく、また容量結合も極めて低い水準の抑えることができる。このため、誤動作やＩＣチップやリーダーライターの損傷を発生しない。
【００２５】
次に、この磁気カード１００では、ホログラム画像表示層１の表面側に、２枚の表側中間透明シート２１，２２を介して、磁気記録用シート３が積層されている。
【００２６】
この磁気記録用シート３では、磁気記録層３２として磁気テープが透明な表側オーバーシート３１に埋め込まれている。この磁気カード１００を磁気の書込・読取機にかけることにより、この磁気記録層３２に磁気的に情報を書き込んで記録したり、あるいは、こう
して記録された磁気情報を読み取ることができる。なお、この図１から分かるように、磁気記録層３２は、ホログラム画像表示層１の一部に部分的に設けられる必要がある。磁気記録層３２に使用されている磁気記録層の材料は、一般に、不透明な濃色を有するため、この磁気記録層３２を積層した部位では、ホログラム画像表示層１のホログラム画像を表示することができない。このため、磁気記録層３２を部分的に積層して、この磁気記録層３２を積層しなかった領域でホログラム画像を表示するのである。このホログラム画像の装飾効果を生かすため、磁気記録層３２は、磁気カード１００の中央部分を避けて、その周辺に配置することが望ましい。
【００２７】
次に、この磁気記録用シート３には、隠蔽層３３が積層されている。この隠蔽層３３は、磁気記録層３２を隠蔽する機能を有している。前述のように、磁気記録層３２は不透明な濃色を有するため、これを隠蔽し、後述する印刷画像３４との間のコントラストを高めて、印刷画像３４の視認性を高めるためである。
【００２８】
この隠蔽層３３も部分的に設けられる必要がある。この隠蔽層３３のない領域でホログラム画像表示層１のホログラム画像を透視可能として、これを表示するためである。
【００２９】
もっとも、隠蔽層３３は、磁気記録層３２に正確に位置合わせして重ねられている必要はない。この例では、磁気記録層３２が磁気カード１００の周辺に配置されており、隠蔽層３３はこの磁気記録層（磁気テープ３２）を隠蔽するように、磁気カード１００の周縁に枠状に設けられている。このように磁気カード１００の周縁に枠状に隠蔽層３３を配置したときには、隠蔽層３３のない中央領域でホログラム画像を表示できるから、ホログラム画像の持つ特有の装飾効果を十分に生かすことができる。
【００３０】
隠蔽層３３は十分な隠蔽性を有すると共に、印刷画像３４との間のコントラストを高めめるため、明度の低い印刷インキで構成することが望ましい。例えば、隠蔽性の高い白色インキである。また、金属粉末を混合して隠蔽性を高めた印刷インキで構成することもできる。印刷方法は任意でよく、例えば、グラビア印刷法、オフセット印刷法、スクリーン印刷法等である。
【００３１】
次に、この磁気記録用シート３には表側印刷画像３４が設けられている。表側印刷画像３４は隠蔽層３３に重ねて設けることが望ましいが、磁気カード１００のデザインに応じて、隠蔽層３３のある領域とこれのない領域とに跨って配置してもよい。この例では、表側印刷画像３４を隠蔽層３３に重ねて配置している。
【００３２】
表側印刷画像３４の種類は任意でよいが、一般に、磁気カード１００の種類や発行者を特定する文字を印刷することが多い。また、これに加えて、装飾性や偽造防止性を高める彩文模様を印刷することもある。印刷方法はグラビア印刷法、オフセット印刷法、スクリーン印刷法等でよい。
【００３３】
次に、この磁気カード１００では、磁気記録用シート３の上に、表側透明保護層４が積層されている。表側透明保護層４は、表側印刷画像３４を保護すると共に、磁気カード１００の表側表面を平滑にする役割を有するものである。この表側透明保護層４は、透明な樹脂フィルムで構成することができる。また、磁気記録用シート３の上に透明塗料を塗布して表側透明保護層４としてもよい。
【００３４】
次に、ホログラム画像表示層１の裏面側には、２枚の中間シート５，６を介して、裏面側オーバーシート７を積層している。
【００３５】
２枚の中間シート５，６のうち、ホログラム画像表示層１に近い中間シート５には、中
間印刷画像５５が設けられている。また、ホログラム画像表示層１から遠い中間シート６には、裏側印刷画像６２が設けられている。なお、図中、５１，６１は、それぞれ、中間シート５，６の基材を示す符号である。
【００３６】
なお、これら中間シート５，６のうちいずれか一方を、ＩＣチップを内蔵したシートとすることもできる。図３はＩＣチップを内蔵した中間シート５の例を示すもので、この例では、中間シート５は、中間シート基材５１の片面にアンテナ回路５２を設け、かつ、ＩＣチップ５３をこの中間シート基材５１に搭載して、これらアンテナ回路５２とＩＣチップ５３とを電気的に接続すると共に、これらアンテナ回路５２とＩＣチップ５３の全体を中間シート保護層５４で覆って、中間シート５の厚みを均一なものとしている。このように中間シート５としてＩＣチップを内蔵したシートを使用した場合には、リーダーライターと情報の授受を行って、その情報をＩＣチップ５３に記憶させ、あるいは記憶した情報を読み出すことができる。そして、この場合でも、前述のように、金属反射膜１２に起因する誤動作やＩＣチップやリーダーライターの損傷を発生することがない。
【００３７】
次に、この例では、裏面側オーバーシート７には、裏面側磁気テープ７２が埋め込まれている。このため、磁気の書込・読取機にかけることにより、この裏面側磁気テープ７２に磁気的に情報を書き込んで記録したり、あるいは、こうして記録された磁気情報を読み取ることができる。
【００３８】
ところで、ホログラム画像形成層１１、２枚の表側中間透明シート２１，２２、表側オーバーシート３１、２枚の中間シート基材５１，６１及び裏面側オーバーシート基材７１の材質としては、任意の樹脂を使用することができるが、この磁気カード１００にエンボスを施すときには、エンボスによって不可逆的に凹凸を形成できる材質で構成されていることが望ましい。例えば、軟質ポリ塩化ビニルシートである。なお、ホログラム画像表示層１の表側に位置する２枚の表側中間透明シート２１，２２及び表側オーバーシート３１は透明である必要があるが、裏面側に配置される２枚の中間シート基材５１，６１及び裏面側オーバーシート基材７１は不透明であってもよい。但し、中間シート５が中間印刷画像５５を有する場合には、中間シート基材６１及び裏面側オーバーシート基材７１は透明であることが望ましい。また、中間シート６が裏側印刷画像６２を有する場合には、裏面側オーバーシート基材７１が透明であることが望ましい。
【００３９】
エンボスを施すエンボス領域Ｘは、隠蔽層３３を有する領域に位置していることが望ましい。前述のように隠蔽層３３のない中央領域ではホログラム画像を表示するから、この領域にエンボスを施すと、金属反射膜１２にクラックを発生して白化し、ホログラム画像が失われて、その装飾効果が損なわれる。これに対して、隠蔽層３３を有する領域ではこの隠蔽層３３によってホログラム画像表示層１が隠蔽されているから、表示されるホログラム画像が損傷を受けることがないのである。
【００４０】
また、隠蔽層３３を有する領域であっても、磁気記録層３２にエンボスを施すと、その磁気特性が損傷を受けるから、この磁気記録層３２のない領域にエンボスを施すことが望ましい。
【００４１】
図１の磁気カード１００は、磁気記録層３２が磁気カード１００の周辺に配置されており、隠蔽層３３はこの磁気記録層３２を隠蔽するように、磁気カード１００の周縁に枠状に設けられているもので、エンボス領域は、磁気記録層３２の配置された部位とは反対側に位置している。
【００４２】
なお、エンボスは、雄型と受台との間に磁気カード１００を挟んで押圧することによって形成できる。雄型に接した面には凹部が形成され、その反対側には凸部が形成される。
エンボスの形状は任意でよいが、例えば、磁気カード１００と関連する口座を示す数字や記号等である。
【符号の説明】
【００４３】
１００：磁気カード
１：ホログラム画像表示層    １１：ホログラム画像形成層    １２：金属反射膜    １２ａ：金属反射膜を構成する領域
２１，２２：表側中間透明シート
３：磁気記録用シート    ３１：表側オーバーシート    ３２：磁気記録層    ３３：隠蔽層    ３４：表側印刷画像
４：表側透明保護層
５：中間シート    ５１：中間シート基材    ５２：アンテナ回路    ５３：ＩＣチップ    ５４：中間シート保護層    ５５：中間印刷画像
６：中間シート    ６１：中間シート基材    ６２：裏側印刷画像
７：裏面側オーバーシート    ７１：裏面側オーバーシート基材    ７２：裏面側磁気テープ
Ｘ：エンボス領域
【図１】
2019072982.tif 000003
【図２】
2019072982.tif 000004
【図３】
2019072982.tif 000005